(57)【要約】      （修正有）【課題】トランザクションデータをモバイルデバイスに提供するシステムおよび方法を提供する。【解決手段】システムは、単一ｈｔｔｐセッション中にクレジット申請を承認することと、エンコードされたセキュアトークンをｈｔｔｐセッションに参加するウェブクライアントに伝送することと、モバイル通信デバイスからセキュアトークンを受信することと、セキュアトークンを受信することに応答して、トランザクションアカウントデータをモバイル通信デバイスに伝送することとを含む。システムは、モバイル通信デバイスがセキュアトークンをデコードすることをさらに含み得る。【選択図】図２
2019117653.tif 000002
【特許請求の範囲】
【請求項１】
ウォレットプラットフォームが、消費者のクレジット申請を識別するトランザクションアカウントデータと、電子取得システムによる前記クレジット申請の承認と、前記クレジット申請の承認の結果として作成されたクレジットアカウントとを用いて、第１のトークンをエンコードすることにより、エンコードされたトークンを形成することと、
前記ウォレットプラットフォームが、前記エンコードされたトークンを第１のウェブクライアントに伝送することであって、前記第１のウェブクライアントは、前記エンコードされたトークンを前記第１のウェブクライアントのディスプレイ上に表示し、第２のウェブクライアントは、前記エンコードされたトークンを前記第１のウェブクライアント上の前記ディスプレイから取得し、前記第２のウェブクライアント上のアプリは、前記エンコードされたトークンをデコードすることにより、第２のトークンを取り出す、ことと、
前記ウォレットプラットフォームが、前記第２のウェブクライアントから前記第２のトークンを受信することと、
前記ウォレットプラットフォームが、前記第１のトークンと前記第２のトークンとを比較することと、
前記ウォレットプラットフォームが、前記比較することに基づいて、前記第１のウェブクライアントが前記第２のウェブクライアントに関連付けられていることを検証することと、
前記ウォレットプラットフォームが、前記検証することに応答して、前記トランザクションアカウントデータに対するアクセスを前記第２のウェブクライアントに提供することと
を含む、方法。
【請求項２】
前記第１のウェブクライアントは、パーソナルコンピューティングデバイスである、請求項１に記載の方法。
【請求項３】
前記第２のウェブクライアントは、モバイルコンピューティングデバイスである、請求項１に記載の方法。
【請求項４】
前記第２のウェブクライアントは、前記トランザクションアカウントデータを記憶する、請求項１に記載の方法。
【請求項５】
前記電子取得システムは、前記消費者が前記クレジット申請を提出したｈｔｔｐセッションと同一のｈｔｔｐセッションの間に、前記消費者の前記クレジット申請を分析する、請求項１に記載の方法。
【請求項６】
前記トランザクションアカウントデータに対するアクセスを提供することは、前記消費者が前記クレジット申請を提出したｈｔｔｐセッションと同一のｈｔｔｐセッションの間である、請求項１に記載の方法。
【請求項７】
トランザクションアカウントが、前記トランザクションアカウントデータに基づいて生成される、請求項１に記載の方法。
【請求項８】
前記第２のウェブクライアントは、前記トランザクションアカウントデータを用いることにより、トランザクションを実施する、請求項１に記載の方法。
【請求項９】
前記第２のウェブクライアントは、前記トランザクションアカウントデータを販売時点情報管理端末に提供することにより、トランザクションを実施する、請求項１に記載の方法。
【請求項１０】
前記第２のウェブクライアントは、前記トランザクションアカウントデータを表示し、販売時点情報管理端末が、前記トランザクションアカウントデータを前記ディスプレイから読み取ることにより、トランザクションを実施する、請求項１に記載の方法。
【請求項１１】
前記第２のウェブクライアントは、トランザクション手段の画像を表示し、販売時点情報管理端末が、前記トランザクション手段の画像を前記ディスプレイから読み取ることにより、トランザクションを実施する、請求項１に記載の方法。
【請求項１２】
前記トランザクションアカウントデータは、前記第２のウェブクライアント上に表示され、前記第２のウェブクライアントからの表示が、販売時点情報管理端末の前に移動されることにより、ジェスチャを生成し、前記販売時点情報管理端末は、前記表示から前記ジェスチャを読み取り、前記販売時点情報管理端末は、ジェスチャ認識セキュリティシステムを用いることにより、前記ジェスチャを分析し、前記第２のウェブクライアントに関連付けられている消費者を認証する、請求項１に記載の方法。
【請求項１３】
前記エンコードされたトークンは、ＱＲコード（登録商標）フォーマットのトークンである、請求項１に記載の方法。
【請求項１４】
前記第１のウェブクライアントは、前記第１のウェブクライアントの前記ディスプレイ上に前記エンコードされたトークンをＱＲコード（登録商標）フォーマットで表示する、請求項１に記載の方法。
【請求項１５】
第１のウェブクライアントが、ウォレットプラットフォームからエンコードされたトークンを受信することであって、前記ウォレットプラットフォームは、消費者のクレジット申請を識別するトランザクションアカウントデータと、電子取得システムによる前記クレジット申請の承認と、前記クレジット申請の承認の結果として作成されたクレジットアカウントとを用いて、第１のトークンをエンコードすることにより、前記エンコードされたトークンを形成する、ことと、
前記第１のウェブクライアントが、前記エンコードされたトークンを前記第１のウェブクライアントのディスプレイ上に表示することであって、第２のウェブクライアントは、前記エンコードされたトークンを前記第１のウェブクライアント上の前記ディスプレイから取得し、前記第２のウェブクライアント上のアプリは、前記エンコードされたトークンをデコードすることにより、第２のトークンを取り出し、前記ウォレットプラットフォームは、前記第２のウェブクライアントから前記第２のトークンを受信し、前記ウォレットプラットフォームは、前記第１のトークンと前記第２のトークンとを比較し、前記ウォレットプラットフォームは、前記比較することに基づいて、前記第１のウェブクライアントが前記第２のウェブクライアントに関連付けられていることを検証し、前記ウォレットプラットフォームは、前記検証することに応答して、前記トランザクションアカウントデータに対するアクセスを前記第２のウェブクライアントに提供する、ことと
を含む、方法。
【請求項１６】
第２のウェブクライアントが、エンコードされたトークンを第１のウェブクライアント上のディスプレイから取得することであって、前記第１のウェブクライアントは、ウォレットプラットフォームから前記エンコードされたトークンを受信し、前記ウォレットプラットフォームは、消費者のクレジット申請を識別するトランザクションアカウントデータと、電子取得システムによる前記クレジット申請の承認と、前記クレジット申請の承認の結果として作成されたクレジットアカウントとを用いて、第１のトークンをエンコードすることにより、前記エンコードされたトークンを形成し、前記第１のウェブクライアントは、前記エンコードされたトークンを前記第１のウェブクライアントの前記ディスプレイ上に表示する、ことと、
前記第２のウェブクライアント上のアプリが、前記エンコードされたトークンをデコードすることにより、第２のトークンを取り出すことと、
前記第２のウェブクライアントが、前記第２のトークンを前記ウォレットプラットフォームに伝送することであって、前記ウォレットプラットフォームは、前記第１のトークンと前記第２のトークンとを比較し、前記ウォレットプラットフォームは、前記比較することに基づいて、前記第１のウェブクライアントが前記第２のウェブクライアントに関連付けられていることを検証する、ことと、
前記第２のウェブクライアントが、前記検証することに応答して、前記トランザクションアカウントデータに対するアクセスを前記ウォレットプラットフォームから受信することと
を含む、方法。
【請求項１７】
前記第１のウェブクライアントは、パーソナルコンピューティングデバイスである、請求項１６に記載の方法。
【請求項１８】
前記第２のウェブクライアントは、モバイルコンピューティングデバイスである、請求項１６に記載の方法。
【請求項１９】
前記第２のウェブクライアントが、前記トランザクションアカウントデータを記憶することをさらに含む、請求項１６に記載の方法。
【請求項２０】
前記第２のウェブクライアントが、前記トランザクションアカウントデータを用いることにより、トランザクションを実施することをさらに含む、請求項１６に記載の方法。
【発明の詳細な説明】
【技術分野】
【０００１】
本開示は、概して、トランザクションデータをモバイルデバイスに提供することに関し、より具体的には、単一のｈｔｔｐセッション中にトランザクションデータを承認し、モバイルデバイスに提供することに関する。
【背景技術】
【０００２】
典型的には、クレジットを申請する消費者は、承認を待つ必要があった。承認された場合、消費者は、トランザクション手段（例えば、クレジットカード）が郵送で到着するのを待つ必要もあった。したがって、承認および配布プロセスを促進し、はかどらせるであろうシステムおよび方法が望ましい。
【発明の概要】
【課題を解決するための手段】
【０００３】
方法は、トランザクションアカウントデータをモバイル通信デバイスに提供するように構成されるコンピュータベースのシステムによって、ｈｔｔｐセッション中にクレジット申請を承認することと、コンピュータベースのシステムによって、エンコードされたセキュアトークンを単一ｈｔｔｐセッションに参加するウェブクライアントに伝送することと、コンピュータベースのシステムによって、モバイル通信デバイスから、セキュアトークンを受信することと、および／またはコンピュータベースのシステムによって、セキュアトークンを受信することに応答して、トランザクションアカウントデータをモバイル通信デバイスに伝送することを含む。方法はさらに、コンピュータベースのシステムによって、モバイル通信デバイスによってデコードされたセキュアトークンを受信することを含み得る。方法はさらに、コンピュータベースのシステムによって、ウェブクライアントによる表示のためのセキュアトークンをエンコードすることを含み得る。方法はさらに、コンピュータベースのシステムによって、モバイル通信デバイスから受信されたセキュアトークンを確認することを含み得る。方法はさらに、コンピュータベースのシステムによって、モバイル通信デバイスから受信されたセキュアトークンをウェブクライアントに伝送されるセキュアトークンと比較することにより、モバイル通信デバイスを確認することを含み得る。方法はさらに、コンピュータベースのシステムによって、モバイル通信デバイスを確認することに応答して、トランザクションアカウントデータをモバイル通信デバイスに伝送することを含み得る。種々の実施形態では、モバイル通信デバイスは、トランザクション要求中の販売時点情報管理端末への提示のためにトランザクションアカウントデータを記憶するように構成され得る。
例えば、本願は以下の項目を提供する。
（項目Ａ１）
方法であって、
トランザクションアカウントのコンピュータベースのシステムによって、クレジット申請が承認されることに応答して、ＱＲコード（登録商標）内にエンコードされたセキュアトークンをウェブクライアントに伝送することであって、前記クレジット申請は、ｈｔｔｐセッション中に提出され、
モバイル通信デバイスは、前記ＱＲコード（登録商標）を走査し、前記エンコードされたセキュアトークンを得、
前記ＱＲコード（登録商標）を走査することは、前記モバイル通信デバイス上のアプリを開き、
前記アプリは、前記ＱＲコード（登録商標）から前記エンコードされたセキュアトークンを抽出し、
前記アプリは、前記エンコードされたセキュアトークンが前記モバイル通信デバイスから前記コンピュータベースのシステムに送信されるようにする、ことと、
前記コンピュータベースのシステムによって、モバイル通信デバイスから、セキュアトークンを受信することであって、前記エンコードされたセキュアトークンは、前記セキュアトークンを得るためにデコードされる、ことと、
前記コンピュータベースのシステムによって、前記セキュアトークンを前記エンコードされたセキュアトークンと比較することと、
前記コンピュータベースのシステムによって、前記比較することに基づいて、前記セキュアトークンを確認することと、
前記コンピュータベースのシステムによって、前記セキュアトークンを確認することに応答して、アプリケーションプロトコルインターフェース（ＡＰＩ）を用いてトランザクションアカウントデータを前記モバイル通信デバイスに伝送することであって、前記トランザクションアカウントデータは、販売時点情報管理端末を用いて非接触支払トランザクションを実施するために構成されている、ことと
を含む、方法。
（項目Ａ２）
前記コンピュータベースのシステムによって、前記モバイル通信デバイスによってデコードされた前記セキュアトークンを受信することをさらに含む、項目１に記載の方法。
（項目Ａ３）
前記コンピュータベースのシステムによって、前記ウェブクライアントへの伝送のために前記セキュアトークンをエンコードすることをさらに含む、項目１に記載の方法。
（項目Ａ４）
前記比較することは、前記モバイル通信デバイスを確認する、項目１に記載の方法。
（項目Ａ５）
前記コンピュータベースのシステムによって、前記モバイル通信デバイスを確認することに応答して、前記トランザクションアカウントを前記データモバイル通信デバイスに伝送することをさらに含む、項目１に記載の方法。
（項目Ａ６）
前記モバイル通信デバイスは、トランザクション要求中の販売時点情報管理端末への提示のために前記トランザクションアカウントデータを記憶するように構成されている、項目１に記載の方法。
（項目Ａ７）
前記モバイル通信デバイスは、前記エンコードされたセキュアトークンをデコードし、前記セキュアトークンを作成する、項目１に記載の方法。
（項目Ａ８）
前記ウェブクライアントは、前記ｈｔｔｐセッションに参加し、前記クレジット申請を提出する、項目１に記載の方法。
（項目Ａ９）
方法であって、
モバイル通信デバイスによって、ｈｔｔｐセッション中にクレジット申請を提出することと、
前記モバイル通信デバイスによって、ＱＲコード（登録商標）を走査することであって、前記ＱＲコード（登録商標）は、前記クレジット申請が承認されることに応答して、ウェブクライアントに送信される、ことと、
前記モバイル通信デバイスによって、前記ＱＲコード（登録商標）からエンコードされたセキュアトークンを取得することであって、前記ＱＲコード（登録商標）を走査することは、前記モバイル通信デバイス上のアプリを開き、前記アプリは、前記ＱＲコード（登録商標）から前記エンコードされたセキュアトークンを抽出する、ことと、
前記モバイル通信デバイスによって、前記エンコードされたセキュアトークンをデコードし、セキュアトークンを得ることと、
前記モバイル通信デバイスによって、前記セキュアトークンをトランザクションアカウント発行者システムに伝送することであって、前記アプリは、前記エンコードされたセキュアトークンが前記モバイル通信デバイスから前記トランザクションアカウント発行者システムに送信されるようにし、前記トランザクションアカウント発行者システムは、前記セキュアトークンを前記エンコードされたセキュアトークンと比較し、前記トランザクションアカウント発行者システムは、前記エンコードされたセキュアトークンと比較ことに基づいて、前記セキュアトークンを確認し、前記トランザクションアカウント発行者システムは、前記セキュアトークンを確認することに応答して、アプリケーションプロトコルインターフェース（ＡＰＩ）を用いてトランザクションアカウントデータを前記モバイル通信デバイスに伝送する、ことと、
前記伝送することに応答して、前記モバイル通信デバイスによって、販売時点情報管理端末を用いて非接触支払トランザクションを実施することを促進するための前記トランザクションアカウント情報を受信することと
を含む、方法。
（項目Ａ１０）
システムであって、
トランザクションアカウントプロセッサと通信している有形非一過性メモリであって、前記有形非一過性メモリは、命令を記憶し、前記命令は、前記プロセッサによる実行に応答して、前記プロセッサに動作を行わせる、有形非一過性メモリと、
前記プロセッサと通信している伝送モジュールであって、前記伝送モジュールは、クレジット申請が承認されることに応答して、ＱＲコード（登録商標）内にエンコードされたセキュアトークンをウェブクライアントに伝送するように構成され、前記クレジット申請は、ｈｔｔｐセッション中に提出され、モバイル通信デバイスは、前記ＱＲコード（登録商標）を走査し、前記エンコードされたセキュアトークンを得、前記ＱＲコード（登録商標）を走査することは、前記モバイル通信デバイス上のアプリを開き、前記アプリは、前記ＱＲコード（登録商標）から前記エンコードされたセキュアトークンを抽出し、前記アプリは、前記エンコードされたセキュアトークンが前記モバイル通信デバイスから前記コンピュータベースのシステムに送信されるようにする、伝送モジュールと、
前記プロセッサと通信している受信モジュールであって、前記受信モジュールは、前記モバイル通信デバイスからセキュアトークンを受信するように構成され、前記エンコードされたセキュアトークンは、前記セキュアトークンを得るためにデコードされる、受信モジュールと、
前記プロセッサと通信している比較モジュールであって、前記比較モジュールは、前記セキュアトークンを前記エンコードされたセキュアトークンと比較するように構成されている、比較モジュールと、
前記プロセッサと通信している確認モジュールであって、前記確認モジュールは、前記比較することに基づいて、前記セキュアトークンを確認するように構成されている、確認モジュールと
を備え、
前記伝送モジュールは、前記セキュアトークンを確認することに応答して、アプリケーションプロトコルインターフェース（ＡＰＩ）を用いてトランザクションアカウントデータを前記モバイル通信デバイスに伝送するようにさらに構成され、前記トランザクションアカウントデータは、販売時点情報管理端末を用いて非接触支払トランザクションを実施するために構成されている、システム。
（項目Ａ１１）
前記受信モジュールは、前記モバイル通信デバイスによってデコードされた前記セキュアトークンを受信するようにさらに構成されている、項目１０に記載のシステム。
（項目Ａ１２）
前記プロセッサと通信しているエンコードモジュールをさらに備え、前記エンコードモジュールは、前記ウェブクライアントによる表示のための前記セキュアトークンをエンコードするように構成されている、項目１０に記載のシステム。
（項目Ａ１３）
前記モバイル通信デバイスは、トランザクション要求中の販売時点情報管理端末への提示のために前記トランザクションアカウントデータを記憶するように構成されている、項目１０に記載のシステム。
【図面の簡単な説明】
【０００４】
本開示の特徴および利点は、図面と関連して検討されることによって、以下に記載される発明を実施するための形態からより明白となるであろう。参照番号の最左数字は、参照番号が最初に現れる図面を示す。
【図１Ａ】図１Ａは、種々の実施形態による、トランザクションアカウントデータをモバイル通信デバイスに提供するためのシステムを図示する。
【図１Ｂ】図１Ｂは、種々の実施形態による、非接触販売時点情報管理端末と通信するモバイル通信デバイスを図示する。
【図２】図２は、種々の実施形態による、トランザクションアカウントデータをモバイル通信デバイスに提供するためのプロセスを図示する。
【発明を実施するための形態】
【０００５】
本明細書における例示的実施形態の詳細な説明は、例証としての例示的実施形態およびその最良形態を示す付随の図面を参照する。これらの例示的実施形態は、当業者が本開示を実践することを可能にするために十分に詳細に説明されるが、他の実施形態も、実現され得、論理的かつ機械的変更が、本開示の精神および範囲から逸脱することなく、行われ得ることを理解されたい。したがって、本明細書の発明を実施するための形態は、限定ではなく、例証目的のためだけに提示される。例えば、方法またはプロセス説明のいずれかに列挙されるステップは、任意の順序で実行され得、提示される順序に限定されない。さらに、機能またはステップのいずれかは、１以上の第三者に外注され、彼らよって行われ得る。さらに、単数形のいずれの言及も、複数実施形態を含み、２つ以上の構成要素のいずれの言及も、単数形実施形態を含み得る。
【０００６】
「金融機関」、「トランザクションアカウント発行者」、および「支払プロセッサ」に類似する語句および用語は、トランザクションアカウントサービスをもたらす任意の人物、エンティティ、ソフトウェア、および／またはハードウェアを含み得る。多くの場合、「金融機関」と称されるが、金融機関は、任意のタイプの銀行、貸し手、または他のタイプのアカウント発行機関（クレジットカード企業、カード支援企業、もしくは金融機関と契約した第三者発行者等）を表し得る。さらに、中間決済機関等の他の参加者もトランザクションのいくつかの段階に関わり得ることに留意されたい。
【０００７】
用語「支払手段」、「金融トランザクション手段」、「トランザクション手段」、または「トランザクションアカウント製品」は、金融手段を指すために全体を通して同じ意味で使用され得る。本明細書で使用される場合、アカウントコードは、物理的金融手段に関連付けられることも、関連付けられないこともある。
【０００８】
「購入者」、「参加者」、「消費者」、および「ユーザ」に類似する語句ならびに用語は、対価（例えば、金融支払）の代わりにアイテムを受け取る、任意の人物、エンティティ、ソフトウェア、および／またはハードウェアを含み得る。例えば、購入者は、アイテムを供給者から購入、リース、借用、物々交換、または別様に得て、トランザクションアカウントを使用して供給者に支払い得る。
【０００９】
「プロセッサ」（支払プロセッサ等）または「トランザクションアカウント発行者」に類似する語句もしくは用語は、クレジットカード処理銀行のためのトランザクションを取り扱うように（例えば、業者によって）任命された企業（例えば、第三者）を含み得る。プロセッサは、フロントエンドおよびバックエンドの２つのタイプに分類され得る。フロントエンドプロセッサは、種々のトランザクションアカウントへの接続を有し、認証および決済サービスをクレジットカード処理銀行の業者に供給する。バックエンドプロセッサは、フロントエンドプロセッサからの決済を受理し、連邦準備銀行を介して、お金を発行銀行からクレジットカード処理銀行に移動させる。通常、数秒かかるであろう動作中、支払プロセッサは、検証のために、詳細をそれぞれのアカウントの発行銀行またはカード協会に転送することによって受信された詳細をチェックすること、およびトランザクションに対して一連の詐欺防止措置を講じることの両方を行い得る。アカウントの発行国およびその以前の支払履歴を含む追加のパラメータが、トランザクションが承認される確率を判断するために使用され得る。トランザクションアカウント詳細が検証されたことの確認を支払プロセッサが受信したことに応答して、情報は、業者に戻され得、業者は、次いで、支払トランザクションを完了させるであろう。検証が否認されたことに応答して、支払プロセッサは、情報を業者に中継し、業者は、次いで、トランザクションを却下し得る。
【００１０】
本明細書で使用される場合、「伝送する」とは、ネットワーク接続を経由して、電子データをあるシステム構成要素から別のシステム構成要素に送信することを含み得る。加えて、本明細書で使用される場合、「データ」は、デジタルまたは任意の他の形態における、コマンド、クエリ、ファイル、記憶のためのデータ等の情報を包含することを含み得る。
【００１１】
「トランザクションアカウント」に類似する語句または用語は、金融トランザクションを促進するために使用され得る任意のアカウントを含み得る。「トランザクションアカウント」は、本明細書で使用される場合、（本明細書に説明されるような）開放アカウントまたは閉鎖アカウントシステムに関連付けられたアカウントを指す。トランザクションアカウントは、物理的または非物理的実施形態において存在し得る。例えば、トランザクションアカウントは、アカウント番号、マイレージサービスアカウント、および電話発信アカウント等の非物理的実施形態において配布され得る。さらに、トランザクションアカウントの物理的実施形態は、金融手段として配布され得る。
【００１２】
一般に、トランザクションアカウントは、例えば、電話ネットワーク、イントラネット、グローバルな公共インターネット、加盟店端末装置（例えば、販売時点情報管理（ＰＯＳ）デバイス、携帯情報端末（ＰＤＡ）、携帯電話、キオスク等）、オンライン通信、オフライン通信、ワイヤレス通信、および／または同等物等の任意の好適な通信手段を通して、ユーザと業者との間のトランザクションのために使用され得る。
【００１３】
「アカウント」、「アカウントコード」、または「アカウント番号」は、本明細書で使用される場合、消費者が、システムにアクセスすること、それと相互作用すること、またはそれと通信することを可能にするように好適に構成される、任意のデバイス、コード、番号、文字、記号、デジタル証明書、スマートチップ、デジタル信号、アナログ信号、バイオメトリック、または他の識別子／印を含み得る（例えば、認証／アクセスコード、個人識別番号（ＰＩＮ）、インターネットコード、他の識別コード、および／または同等物のうちの１つ以上のもの）。アカウント番号は、随意に、ポイントカード、チャージカード、クレジットカード、デビットカード、プリペイドカード、テレフォンカード、エンボスカード、スマートカード、磁気ストライプカード、バーコードカード、トランスポンダ、無線周波数カード、または関連付けられたアカウント上に配置されるか、もしくはそれに関連付けられ得る。システムは、前述のカードまたはデバイス、ＱＲコード（登録商標）、Ｂｌｕｅｔｏｏｔｈ（登録商標）、近距離通信、または、トランスポンダおよびトランスポンダとＲＦ通信するＲＦＩＤリーダ（フォブを含み得る）のいずれかを含むか、またはそれとインターフェースをとり得る。典型的デバイスは、例えば、キーリング、タグ、カード、携帯電話、腕時計、または照会のために提示されることが可能な任意のそのような形態を含み得る。
【００１４】
さらに、本明細書で論じられるシステム、コンピューティングユニット、またはデバイスは、コンピューティングユニットが埋め込まれた、従来はコンピュータ化されないデバイスを含み得る、「普及コンピューティングデバイス」を含み得る。実施例として、腕時計、インターネット対応台所用計器、ＲＦリーダが埋め込まれたレストランのテーブル、トランスポンダが内蔵された財布またはハンドバッグ等が挙げられ得る。
【００１５】
アカウントコードは、データをそれ自体から第２のデバイスに伝送またはダウンロード可能な任意の形態のプラスチック、電子、磁気、無線周波数、ワイヤレス、オーディオ、および／または光学のデバイスで配布ならびに記憶され得る。顧客アカウントコードは、例えば、１６桁のトランザクションアカウントコードであり得るが、各トランザクションアカウントプロバイダは、Ａｍｅｒｉｃａｎ  Ｅｘｐｒｅｓｓによって使用される１５桁番号付けシステム等、それ自身の番号付けシステムを有する。各企業のトランザクションアカウントコードは、１５桁のフォーマットを使用する企業が、概して、番号「００００
００００００  ０００００」によって表されるように、３つの間隔を置かれた組の番号を使用するであろうように、その企業の標準化されたフォーマットに準拠する。最初の５〜７桁は、処理目的のために保留され、発行銀行、カードタイプ等を識別する。この例では、最後（１５番目）の桁は、１５桁の番号のためのサムチェックとして使用される。中間の８から１１桁は、顧客を一意に識別するために使用される。業者アカウントコードは、例えば、カード受理、アカウント照合、報告等の目的のために、特定の業者を識別する任意の番号または英数文字であり得る。
【００１６】
本開示による情報の転送は、業者システムまたはアカウント発行者によって認識可能なフォーマットで完遂され得ることに留意されたい。この点に関して、一例として、情報は、種々のフォーマット、例えば、磁気ストライプまたはマルチトラック磁気ストライプフォーマットにおいて、非接触（例えば、ＲＦＩＤ）デバイスから非接触（例えば、ＲＦＩＤ）リーダに、または、非接触リーダから業者システムに伝送され得る。
【００１７】
本明細書で使用される場合、ｈｔｔｐセッションは、（本明細書に説明されるような）第１のウェブクライアントと第２のウェブクライアントとの間、および／または、ウェブクライアント（例えば、モバイルデバイスまたはパーソナルコンピュータ）等のフロントエンドシステムとバックエンドシステム（例えば、トランザクションアカウント発行者サーバまたはサーバシステム）との間の一時的双方向通信交換を含み得る。
【００１８】
図１Ａを参照すると、ｈｔｔｐセッション中にクレジットおよびトランザクションアカウントデータを承認および提供するためのシステム１００が、示される。システムは、第１のウェブクライアント１０２（パーソナルコンピューティングデバイス等）、第２のウェブクライアント１０４（モバイルコンピューティングデバイス等）、ネットワーク１０６、ウォレットプラットフォーム１０８、および／または電子取得システム１１０を含み得る。
【００１９】
ウェブクライアントは、任意のネットワークを介して通信する、任意のデバイス（例えば、パーソナルコンピューティングデバイス／モバイル通信デバイス）を含み得る。ウェブクライアントは、消費者、業者、または両方に関連付けられ、および／または彼らによって使用され得る。ウェブクライアントは、種々のブラウジングソフトウェアまたはブラウザアプリケーション（例えば、Ｍｉｃｒｏｓｏｆｔ  Ｉｎｔｅｒｎｅｔ  Ｅｘｐｌｏｒｅｒ、Ｍｏｚｉｌｌａ  Ｆｉｒｅｆｏｘ、Ｇｏｏｇｌｅ  Ｃｈｒｏｍｅ、Ａｐｐｌｅ  Ｓａｆａｒｉ、またはインターネットをブラウジングするために利用可能な多数のソフトウェアパッケージの任意のその他の）を含み得る。そのようなブラウザアプリケーションは、オンライントランザクションおよび／または通信を行うために、コンピューティングユニットまたはシステム内にインストールされたインターネットブラウジングソフトウェアを備え得る。これらのコンピューティングユニットまたはシステムは、コンピュータもしくはプロセッサまたは一式のコンピュータ／プロセッサの形態をとり得るが、他のタイプのコンピューティングユニットまたはシステムが、ラップトップ、ノートブック、ハンドヘルドコンピュータ、携帯情報端末、携帯電話、スマートフォン（例えば、ｉＰｈｏｎｅ（登録商標）、ＢｌａｃｋＢｅｒｒｙ（登録商標）、Ｄｒｏｉｄ（登録商標）等）、セットトップボックス、ワークステーション、コンピュータサーバ、メインフレームコンピュータ、ミニコンピュータ、ＰＣサーバ、普及コンピュータ、コンピュータのネットワークセット、ｉＰａｄ（登録商標）、ｉＭＡＣｓ、およびＭａｃＢｏｏｋｓ等のパーソナルコンピュータ、キオスク、端末、販売時点情報管理（ＰＯＳ）デバイスおよび／または端末、テレビ、もしくはネットワーク１０６を経由してデータを受信可能な任意の他のデバイスを含め、使用され得る。
【００２０】
当業者が理解するように、ウェブクライアントは、オペレーティングシステム（例えば、Ｗｉｎｄｏｗｓ（登録商標）  ＮＴ、９５／９８／２０００／ＣＥ／Ｍｏｂｉｌｅ、ＯＳ２、ＵＮＩＸ（登録商標）、Ｌｉｎｕｘ（登録商標）、Ｓｏｌａｒｉｓ、ＭａｃＯＳ、ＰａｌｍＯＳ等）と、典型的にはコンピュータに関連付けられる種々の従来のサポートソフトウェアおよびドライバとを含み得る。ウェブクライアントは、セキュアソケット層（ＳＳＬ）およびトランスポート層セキュリティ（ＴＬＳ）等のセキュリティプロトコルを実装し得る。ウェブクライアントは、例えば、ｈｔｔｐ、ｈｔｔｐｓ、ｆｔｐ、およびｓｆｔｐを含む１つ以上のアプリケーション層プロトコルを実装し得る。ウェブクライアントから生じるトランザクションは、他のネットワークのユーザからの非認証アクセスを防止するために、ファイアウォール（図示せず；以下参照）を通過し得る。
【００２１】
ネットワーク１０６は、ソフトウェアおよび／またはハードウェア構成要素を組み込む任意の電子通信システムまたは方法を備え得る。通信は、例えば、電話ネットワーク、エクストラネット、イントラネット、インターネット、加盟店端末装置デバイス（販売時点情報管理デバイス、携帯情報端末、スマートフォン、携帯電話（例えば、ｉＰｈｏｎｅ（登録商標）、Ｐａｌｍ  Ｐｉｌｏｔ（登録商標）、ＢｌａｃｋＢｅｒｒｙ（登録商標））、キオスク等）、オンライン通信、衛星通信、オフライン通信、ワイヤレス通信、トランスポンダ通信、ローカルエリアネットワーク（ＬＡＮ）、広域ネットワーク（ＷＡＮ）、仮想プライベートネットワーク（ＶＰＮ）、ネットワークまたはリンクデバイス、キーボード、マウス、および／または任意の好適な通信もしくはデータ入力モダリティ等の任意の好適な通信チャネルを通して遂行され得る。さらに、ネットワーク１０６は、ＴＣＰ／ＩＰ通信プロトコルを用いて実装されるように本明細書に説明され得るが、ネットワーク１０６はまた、ＩＰＸ、Ａｐｐｌｅｔａｌｋ、ＩＰ−６、ＮｅｔＢＩＯＳ、ＯＳＩ、任意のトンネリングプロトコル（例えば、ＩＰｓｅｃ、ＳＳＨ）、または任意の数の既存のもしくは将来的プロトコルを使用して実装され得る。ネットワーク１０６が、インターネット等の公共ネットワークの性質を帯びている場合、ネットワーク１０６がセキュアではなく、傍受者に対してオープンであると仮定することが有利であり得る。インターネットに関連して利用されるプロトコル、規格、およびアプリケーションソフトウェアに関する具体的情報は、概して、当業者に公知であり、したがって、本明細書に詳述される必要はないものとする。例えば、Ｄｉｌｉｐ  Ｎａｉｋ，Ｉｎｔｅｒｎｅｔ  Ｓｔａｎｄａｒｄｓ  ａｎｄ  Ｐｒｏｔｏｃｏｌｓ（１９９８）、Ｊａｖａ（登録商標）  ２  Ｃｏｍｐｌｅｔｅ，ｖａｒｉｏｕｓ  ａｕｔｈｏｒｓ，（Ｓｙｂｅｘ  １９９９）、Ｄｅｂｏｒａｈ  Ｒａｙ  ａｎｄ  Ｅｒｉｃ  Ｒａｙ，Ｍａｓｔｅｒｉｎｇ  ＨＴＭＬ  ４．０（１９９７）、およびＬｏｓｈｉｎ，ＴＣＰ／ＩＰ  Ｃｌｅａｒｌｙ  Ｅｘｐｌａｉｎｅｄ（１９９７）  ａｎｄ  Ｄａｖｉｄ  Ｇｏｕｒｌｅｙ  ａｎｄ  Ｂｒｉａｎ  Ｔｏｔｔｙ，ＨＴＴＰ，Ｔｈｅ  Ｄｅｆｉｎｉｔｉｖｅ  Ｇｕｉｄｅ（２００２）（その内容は、参照することによって本明細書に組み込まれる）を参照されたい。
【００２２】
本明細書に説明される種々のシステム構成要素は、例えば、典型的には、標準的モデム通信、ケーブルモデム、ディッシュネットワーク、ＩＳＤＮ、デジタル加入者回線（ＤＳＬ）、または種々のワイヤレス通信方法に関連して使用されるようなローカルループを経由したインターネットサービスプロバイダ（ＩＳＰ）への接続を含む、１つ以上のデータリンクを介して、独立して、別個に、または集合的に、ネットワーク１０６に結合され得る（例えば、Ｇｉｌｂｅｒｔ  Ｈｅｌｄ，Ｕｎｄｅｒｓｔａｎｄｉｎｇ  Ｄａｔａ  Ｃｏｍｍｕｎｉｃａｔｉｏｎｓ（１９９６）（参照することによって本明細書に組み込まれる）参照）。ネットワーク１０６は、種々に実装され得ることに留意されたい。例えば、ネットワーク１０６は、双方向テレビ（ＩＴＶ）ネットワークとして実装され得る。本明細書に開示されるシステムおよび方法は、ネットワーク１０６を参照して上で述べたものに類似する機能性を有する任意のネットワークを経由した任意の商品、サービス、または情報の使用、販売、および／もしくは配布を想定する。
【００２３】
ウォレットプラットフォーム１０８は、トランザクションアカウントに関連付けられた情報（アカウントトークン、またはアカウントトークン等のアカウントデータをエンコードするクイックレスポンス（「ＱＲ」コード）等）を提供および／または伝送するように構成されるか、もしくは構成可能である任意のタイプのハードウェアおよび／またはソフトウェア（例えば、コンピュータサーバまたはコンピュータサーバシステム）を備え得る。
【００２４】
電子取得システムは、クレジットのための申請を承認し、および／または却下するように、ならびに／または、トランザクションアカウントに関連付けられた情報（アカウントトークン、またはアカウントトークンおよび／または同等物をエンコードするクイックレスポンス（「ＱＲ」コード）等）を提供および／または伝送するように構成される、もしくは構成可能である任意のタイプのハードウェアおよび／またはソフトウェア（例えば、コンピュータサーバまたはコンピュータサーバシステム）を備え得る。
【００２５】
図２を参照すると、ｈｔｔｐセッション中にクレジット申請を承認し、ｈｔｔｐセッション中にトランザクションアカウントデータをウェブクライアント１０４（例えば、モバイル通信デバイス）に提供するための例示的プロセス２００が、開示される。種々の実施形態では、消費者は、ｈｔｔｐセッション中にクレジットを申請し、同一セッション中にクレジット申請に対する承認を受信し得る。したがって、本明細書で使用される場合、消費者は、単一ｈｔｔｐセッションの間に、クレジットが「瞬時に」承認（または却下）され得る。本明細書に簡単に説明されるような瞬時クレジット承認については、「ＦＲＡＵＤ  ＣＯＮＴＲＯＬ  ＷＨＥＮ  ＧＲＡＮＴＩＮＧ  ＩＮＳＴＡＮＴ  ＣＲＥＤＩＴ」と題され、２０１２年１２月２５日に発行されたＣｒａｗｆｏｒｄ、他の米国特許第８，３３６，７６４号によってさらに開示され得る。種々の実施形態では、ｈｔｔｐセッションは、２つ以上のｈｔｔｐセッションを備え得、承認は、ある期間後に提供され得る。
【００２６】
故に、消費者は、ネットワーク１０６を通して電子取得システム１１０等のバックエンドシステムと通信するウェブクライアント１０２を介して、クレジットを申請し得る（ステップ２０２）。電子取得システム１１０は、前述のように、瞬時に消費者クレジットを与え得る。消費者クレジットを与えると、電子取得システム１１０は、ウォレットプラットフォーム１０８と通信し、ウォレットプラットフォーム１０８に、トランザクションアカウントデータをエンコードし、そのトランザクションアカウントデータをウェブクライアント１０２に伝送するように命令し得る。例えば、種々の実施形態では、電子取得システム１１０は、ウォレットプラットフォームに、乱数等のトークン（または「セキュアなプロビジョニングトークン」）を生成し、そのトークンを、例えば、クイックレスポンス（「ＱＲ」コード）等の種々のフォーマットのうちの１つにエンコードするように命令し得る（ステップ２０４）。ウォレットプラットフォーム１０８は、ネットワーク１０６を介して、エンコードされたトークンをウェブクライアント１０２に伝送し得る。
【００２７】
そのようなエンコードされたトークンの受信に応答して、ウェブクライアント１０２は、ウェブクライアント１０２に結合されるか、またはそれを備えるディスプレイを介して、エンコードされたトークンを表示し得、ディスプレイを視認している消費者は、エンコードされたデータを視覚的に観察し得る。消費者は、それに応答して、ウェブクライアント１０４（例えば、モバイル通信デバイス）を利用して、表示されたエンコードされたデータ（例えば、セキュアトークンをエンコードするＱＲコード（登録商標））を走査、撮影、または別様に取得し得る（ステップ２０６）。
【００２８】
種々の実施形態では、ウェブクライアント１０４は、ウェブクライアント１０４が、エンコードされたセキュアトークンを取得すること、および／または読み取ること、ならびに／もしくはデコードすることを可能にするアプリケーション（例えば、ソフトウェア）を含み、および／または取得し得る（例えば、アプリケーションプロバイダからアプリケーションとしてダウンロードする）。エンコードされたセキュアトークンを取得および／またはデコードするために必要とされるアプリケーションの任意の部分が、ウェブクライアント１０４上に存在しない場合、ウェブクライアント１０４は、消費者に、アプリケーションプロバイダから（例えば、ウォレットプラットフォーム１０８から）、そのような目的のために好適なソフトウェアアプリケーションをダウンロードするように促し得る。
【００２９】
したがって、ウェブクライアント１０４上に常駐するアプリケーションは、本明細書に説明されるように、ウェブクライアント１０２から取得されたエンコードされたデータをデコードし（本明細書に説明されるように、または当技術分野において公知のように）、セキュアトークンを読み出し得る（ステップ２０８）。前述のように、セキュアトークンは、ウォレットプラットフォーム１０８によって生成される乱数および／または消費者のクレジット申請ならびに／もしくはその承認および／またはクレジット申請の承認の結果として作成されたクレジットアカウントを識別するために使用され得る任意の他の識別子もしくは識別情報を備え得る。
【００３０】
エンコードされたセキュアトークンをデコードすると、ウェブクライアント１０４は、ネットワーク１０６を介して、（エンコードもしくはデコードおよび／または暗号化もしくは復号化された）セキュアトークンをウォレットプラットフォーム１０８に伝送し得る（ステップ２１０）。ウォレットプラットフォーム１０８は、ウェブクライアント１０４から受信するセキュアトークンをウェブクライアント１０２に提供した（エンコードされたデータとして）セキュアトークンと比較し、ウェブクライアント１０２がウェブクライアント１０４に関連付けられていることを検証し得、それを通して、クレジットは、前述のように、電子取得システム１１０によって瞬時に承認される（ステップ２１２）。言い換えると、ウォレットプラットフォーム１０８は、ウェブクライアント１０２によってウォレットプラットフォーム１０８に返されたセキュアトークンと、ウェブクライアント１０２によって、取得されたセキュアトークンを比較することによって、モバイル通信デバイス／ウェブクライアント１０２がトランザクションアカウントデータを、それを通してクレジットが要求および承認されたウェブクライアント１０４から受信すべきことを確実にし得る。
【００３１】
セキュアトークンの確認に応答して、ウォレットプラットフォーム１０８は、ネットワーク１０６を介して、および／または電気通信プロバイダによって提供される電気通信ネットワークを介して、（エンコードもしくはデコードおよび／または暗号化ならびに／もしくは復号化された）トランザクションアカウントデータ（例えば、トランザクションアカウント番号、有効期限、顧客名等）をモバイル通信デバイス／ウェブクライアント１０２に提供し得る（ステップ２１４）。トランザクションアカウントデータは、要求され、電子取得システム１１０によって「瞬時に」承認された（前述のように）、トランザクションアカウントに関連付けられ得る。モバイル通信デバイス／ウェブクライアント１０２は、トランザクションアカウントデータの受信に応答して、データを記憶し得る（ステップ２１６）。
【００３２】
したがって、種々の実施形態では、システム１００は、瞬時に（例えば、単一ｈｔｔｐセッション中）、クレジットのための消費者の要求を承認し、要求および承認に基づいて、トランザクションアカウントを作成し、ネットワークを介して、電子バージョンの消費者のクレジットカード（すなわち、トランザクションアカウントデータ）を提供し得る。さらに、図１Ｂを参照すると、このトランザクションアカウントデータがウェブクライアント１０２上に記憶されると、消費者は、ウェブクライアント１０２を支払手段として利用し得る。例えば、消費者は、トランザクションの一部として、ウェブクライアント１０２を非接触支払用販売時点情報管理端末１１２の近くに配置し、ウェブクライアントによって記憶されるトランザクションデータを端末１１２に伝送し得る。データ転送、インターフェース、伝送、および／または交換の任意の部分もしくは全部が、例えば、近距離通信（ＮＦＣ）、Ｂｌｕｅｔｏｏｔｈ（登録商標）、無線周波数、カード画像取得等を介して、遂行され得る。同様に、販売時点情報管理端末１１２が、バーコードリーダまたはＱＲコード（登録商標）リーダ等の「リーダ」を備える場合、ウェブクライアント１０２は、販売時点情報管理端末１１２が、ウェブクライアント１０２によって表示されるエンコードされたトランザクションアカウントデータを走査すること、または「読み取る」ことを可能にされるように、そのメモリ内に記憶されるトランザクションアカウントデータをエンコードおよび表示するように構成され得る。さらに、ウェブクライアント／モバイル通信デバイス１０２は、カメラ等の画像捕捉デバイスによって取得または別様に捕捉され得るトランザクション手段（例えば、クレジットカード）の画像を表示するように構成され得る。この点において、ウェブクライアント１０２は、２０１１年６月２４日に出願され、２０１２年５月８日に発行された「ＳＹＳＴＥＭＳ  ＡＮＤ  ＭＥＴＨＯＤＳ  ＦＯＲ  ＧＥＳＴＵＲＥ−ＢＡＳＥＤ  ＩＮＴＥＲＡＣＴＩＯＮ  ＷＩＴＨ  ＣＯＭＰＵＴＥＲ  ＳＹＳＴＥＭＳ」と題されたＡｉｄａｓａｎｉ、他の米国特許第８，１７２，１３５号（参照することによって、その全体として本明細書に組み込まれる）によって開示されるように、ジェスチャ認識セキュリティシステムの一部として使用され得る。
【００３３】
本明細書の発明を実施するための形態では、「一実施形態」、「ある実施形態」、「ある例示的実施形態」、「種々の実施形態」等の言及は、説明される実施形態が、特定の特徴、構造、または特性を含み得るが、全ての実施形態が、必ずしも、特定の特徴、構造、または特性を含まなくてもよいことを示す。さらに、そのような語句は、必ずしも、同一実施形態を参照するわけではない。さらに、特定の特徴、構造、または特性が、ある実施形態に関連して説明されるとき、当業者の知識内において、明示的に説明されるかどうかにかかわらず、他の実施形態と関連してそのような特徴、構造、または特性をもたらすことも思量される。説明を熟読後、ある実施形態において本開示を実装する方法が当業者に明白となるであろう。
【００３４】
種々の実施形態では、本明細書に説明される方法は、本明細書に説明される種々の特定の機械を使用して実装される。本明細書に説明される方法は、当業者によってすぐさま理解されるであろうように、任意の好適な組み合わせにおいて、特定の機械および以降に開発されたものを使用して実装され得る。さらに、本開示から明らかであるように、本明細書に説明される方法は、ある物品の種々の変形をもたらし得る。
【００３５】
簡略化するために、従来のデータネットワーキング、アプリケーション開発、およびシステム（およびシステムの個々の動作構成要素の構成要素）の他の機能的側面は、本明細書に詳細に説明されない場合がある。さらに、本明細書に含まれる種々の図に示される接続線は、種々の要素間の例示的機能関係および／または物理的結合を表すように意図される。多くの代替または追加の機能関係もしくは物理的接続が、実践的システムに存在し得ることに留意されたい。
【００３６】
本明細書で論じられる種々のシステム構成要素は、以下のうちの１つ以上のものを含み得る。デジタルデータを処理するためのプロセッサを含むホストサーバまたは他のコンピューティングシステム；デジタルデータを記憶するためにプロセッサに結合されるメモリ；デジタルデータを入力するためにプロセッサに結合される入力デジタイザ；プロセッサによるデジタルデータの処理を命令するために、メモリ内に記憶され、プロセッサによってアクセス可能なアプリケーションプログラム；プロセッサによって処理されるデジタルデータから導出された情報を表示するためにプロセッサおよびメモリに結合されるディスプレイデバイス；ならびに複数のデータベース。本明細書で使用される種々のデータベースは、クライアントデータ；業者データ；金融機関データ；および／またはシステムの動作において有用な類似データを含み得る。当業者が理解するように、ユーザコンピュータは、オペレーティングシステム（例えば、Ｗｉｎｄｏｗｓ（登録商標）  ＮＴ、９５／９８／２０００、ＸＰ、Ｖｉｓｔａ、ＯＳ２、ＵＮＩＸ（登録商標）、Ｌｉｎｕｘ（登録商標）、Ｓｏｌａｒｉｓ、ＭａｃＯＳ等）、ならびに典型的にはコンピュータに関連付けられる種々の従来のサポートソフトウェアおよびドライバを含み得る。ユーザは、システムと相互作用する任意の個人、事業体、エンティティ、政府機関、ソフトウェア、および／またはハードウェアを含み得る。
【００３７】
ある実施形態では、システム１００の種々の構成要素、モジュール、および／またはエンジンは、マイクロアプリケーションまたはマイクロアプリとして実装され得る。マイクロアプリは、典型的には、例えば、Ｐａｌｍモバイルオペレーティングシステム、Ｗｎｄｏｗｓモバイルオペレーティングシステム、Ａｎｄｒｏｉｄオペレーティングシステム、ＡＰＰＬＥ  ｉＯＳ、ＢｌａｃｋＢｅｒｒｙオペレーティングシステム等を含むモバイルオペレーティングシステムとの関連で展開される。マイクロアプリは、種々のオペレーティングシステムおよびハードウェアリソースの動作を統制する一式の所定のルールを介して、より大型のオペレーティングシステムおよび関連付けられたハードウェアのリソースを活用するように構成され得る。例えば、マイクロアプリが、モバイルデバイスまたはモバイルオペレーティングシステム以外のデバイスまたはネットワークと通信することを所望する場合、マイクロアプリは、モバイルオペレーティングシステムの所定のルール下、オペレーティングシステムおよび関連付けられたデバイスハードウェアの通信プロトコルを活用し得る。さらに、マイクロアプリが、ユーザからの入力を所望する場合、マイクロアプリは、種々のハードウェア構成要素を監視し、次いで、検出された入力をハードウェアからマイクロアプリに通信する、オペレーティングシステムからの応答を要求するように構成され得る。
【００３８】
システムは、ウェブサービス、ユーティリティコンピューティング、普及および個人用コンピューティング、セキュリティおよび識別ソリューション、自律型コンピューティング、クラウドコンピューティング、コモディティコンピューティング、モビリティおよびワイヤレスソリューション、オープンソース、バイオメトリック、グリッドコンピューティング、および／またはメッシュコンピューティングと関連した使用を想定する。
【００３９】
本明細書で論じられる任意のデータベースは、関係、階層、グラフィカル、またはオブジェクト指向構造、および／または任意の他のデータベース構成を含み得る。データベースを実装するために使用され得る、一般的データベース製品として、ＩＢＭ（Ａｒｍｏｎｋ，ＮＹ）によるＤＢ２、Ｏｒａｃｌｅ  Ｃｏｒｐｏｒａｔｉｏｎ（Ｒｅｄｗｏｏｄ  Ｓｈｏｒｅｓ，ＣＡ）から利用可能な種々のデータベース製品、Ｍｉｃｒｏｓｏｆｔ  Ｃｏｒｐｏｒａｔｉｏｎ（Ｒｅｄｍｏｎｄ，Ｗａｓｈｉｎｇｔｏｎ）によるＭｉｃｒｏｓｏｆｔ  ＡｃｃｅｓｓまたはＭｉｃｒｏｓｏｆｔ  ＳＱＬサーバ、ＭｙＳＱＬ  ＡＢ（Ｕｐｐｓａｌａ，Ｓｗｅｄｅｎ）によるＭｙＳＱＬ、または任意の他の好適なデータベース製品が挙げられる。さらに、データベースは、任意の好適な様式において、例えば、データテーブルまたはルックアップテーブルとして編成され得る。各記録は、単一ファイル、一連のファイル、リンクされた一連のデータフィールドまたは任意の他のデータ構造であり得る。あるデータの関連付けは、当技術分野において公知のものまたは実践されているもの等、任意の所望のデータ関連付け技法を通して遂行され得る。例えば、関連付けは、手動または自動のいずれかにおいて、遂行され得る。自動関連付け技法は、例えば、データベース検索、データベースマージ、ＧＲＥＰ、ＡＧＲＥＰ、ＳＱＬ、高速検索のためのテーブル内でのキーフィールドの使用、全テーブルおよびファイルを通した順次検索、ルックアップを単純化するための既知の順序に従うファイル内の記録のソート、および／または同等物を含み得る。関連付けステップは、例えば、事前に選択されたデータベースまたはデータセクタ内で「キーフィールド」を使用して、データベースマージ機能によって遂行され得る。種々のデータベース調整ステップが、データベース性能を最適化するために想定される。例えば、インデックス等の頻繁に使用されるファイルは、別個のファイルシステム上に置かれ、入／出力（「Ｉ／Ｏ」）ボトルネックを低減させ得る。
【００４０】
より具体的には、「キーフィールド」は、キーフィールドによって定義されたオブジェクトの高レベルクラスに従って、データベースをパーティション化する。例えば、あるタイプのデータは、複数の関連データテーブル内のキーフィールドとして指定され得、データテーブルは、次いで、キーフィールド内のデータのタイプに基づいて、リンクされ得る。リンクされたデータテーブルの各々におけるキーフィールドに対応するデータは、好ましくは、同一または同一タイプである。しかしながら、キーフィールド内に類似するが同じではないデータを有する、データテーブルもまた、例えば、ＡＧＲＥＰを使用することによってリンクされ得る。一実施形態によると、任意の好適なデータ記憶技法は、標準的フォーマットを伴わずに、データを記憶するために利用され得る。データセットは、例えば、ＩＳＯ／ＩＥＣ７８１６−４ファイル構造を使用して個々のファイルを記憶すること；ドメインを実装し、それによって、１つ以上のデータセットを含む１つ以上の基本ファイルを開示する専用ファイルが選択されること；階層ファイリングシステムを使用して、個々のファイル内に記憶されるデータセットを使用すること；単一ファイル内に記録として記憶されるデータセット（圧縮、ＳＱＬアクセス可能、１つ以上のキーを介したハッシュ化、数値、第１のタプルによるアルファベット等を含む）；Ｂｉｎａｒｙ  Ｌａｒｇｅ  Ｏｂｊｅｃｔ（ＢＬＯＢ）；ＩＳＯ／ＩＥＣ７８１６−６データ要素を使用してエンコードされたグループ化されていないデータ要素として記憶されること；ＩＳＯ／ＩＥＣ８８２４および８８２５におけるようなＩＳＯ／ＩＥＣ  Ａｂｓｔｒａｃｔ  Ｓｙｎｔａｘ  Ｎｏｔａｔｉｏｎ（ＡＳＮ．１）を使用してエンコードされたグループ化されていないデータ要素として記憶されること；および／またはフラクタル圧縮方法、画像圧縮方法等を含み得る、他の専有技法を含む、任意の好適な技法を使用して記憶され得る。
【００４１】
一例示的実施形態では、異なるフォーマットにおいて様々な情報を記憶する能力は、情報をＢＬＯＢとして記憶することによって促進される。したがって、任意のバイナリ情報が、データセットに関連付けられた記憶空間内に記憶されることができる。前述のように、バイナリ情報は、金融トランザクション手段上に記憶されるか、または金融トランザクション手段の外部にあるが、それと結び付けられ得る。ＢＬＯＢ方法は、固定記憶配分、循環キュー技法、またはメモリ管理に関する最良実践（例えば、最長時間未使用のページ化メモリ等）のいずれかを使用して、固定メモリオフセットを介して、バイナリのブロックとしてフォーマットされたグループ化されていないデータ要素としてデータセットを記憶し得る。ＢＬＯＢ方法を使用することによって、異なるフォーマットを有する種々のデータセットを記憶する能力は、データセットの複数かつ非関連所有者による、金融トランザクション手段に関連付けられたデータの記憶を促進する。例えば、記憶され得る第１のデータセットは、第１の当事者によって提供され得、記憶され得る第２のデータセットは、非関連の第２の当事者によって提供され得、さらに記憶され得る第３のデータセットは、第１および第２の当事者と非関連の第三者によって提供され得る。これらの３つの例示的データセットの各々は、異なるデータ記憶フォーマットおよび／または技法を使用して記憶される、異なる情報を含み得る。さらに、各データセットは、他のサブットとも異なり得る、データのサブットを含み得る。
【００４２】
前述のように、種々の実施形態では、データは、共通フォーマットに関係なく記憶されることができる。しかしながら、一例示的実施形態では、データセット（例えば、ＢＬＯＢ）は、金融トランザクション手段上にデータを操作するために提供されるとき、標準的様式で注釈が付けられ得る。注釈は、種々のデータセットを管理することにおいて有用な情報を伝達するように構成される、各データセットに関連した短いヘッダ、トレーラ、または他の適切なインジケータを備え得る。例えば、注釈は、本明細書では「状態ヘッダ」、「ヘッダ」、「トレーラ」、または「ステータス」と呼ばれ得、データセットのステータスの指示を備え得るか、またはデータの具体的発行者もしくは所有者に相関された識別子を含み得る。一実施例では、各データセットＢＬＯＢの最初の３バイトは、その特定のデータセットのステータスを示すように構成されるか、または構成可能であり得る。例えば、ＬＯＡＤＥＤ、ＩＮＩＴＩＡＬＩＺＥＤ、ＲＥＡＤＹ、ＢＬＯＣＫＥＤ、ＲＥＭＯＶＡＢＬＥ、またはＤＥＬＥＴＥＤ。データの後続バイトは、例えば、発行者、ユーザ、トランザクション／メンバーシップアカウント識別子等の識別を示すために使用され得る。これらの状態注釈の各々は、本明細書でさらに論じられる。
【００４３】
データセット注釈はまた、他のタイプのステータス情報ならびに種々の他の目的のために使用され得る。例えば、データセット注釈は、アクセスレベルを確立するセキュリティ情報を含み得る。アクセスレベルは、例えば、ある個人、従業員のレベル、企業、もしくは他のエンティティのみが、データセットにアクセスすることを許可するか、またはトランザクション、業者、発行者、ユーザ等に基づいて、特定のデータセットへのアクセスを許可するように構成され得る。さらに、セキュリティ情報は、データセットへのアクセス、修正、および／または削除等のあるアクションのみ制限／許可し得る。一実施例では、データセット注釈は、データセット所有者またはユーザのみ、データセットを削除することが許可されることを示し、種々の識別されたユーザは、読み取りのためにデータセットにアクセスすることが許可され得、その他は、データセットへのアクセスから完全に除外され得る。しかしながら、他のアクセス制限パラメータもまた、使用され、種々のエンティティが、必要に応じて、種々の許可レベルを用いてデータセットにアクセスすることを可能にし得る。
【００４４】
ヘッダまたはトレーラを含むデータは、ヘッダまたはトレーラに従って、データを追加、削除、修正、または拡張するように構成される独立型相互作用デバイスによって受信され得る。したがって、一実施形態では、ヘッダまたはトレーラは、関連付けられた発行者所有データとともに、トランザクションデバイス上に記憶されず、代わりに、適切なアクションが、独立型デバイスにおいて、行われるべきアクションの適切な選択肢をトランザクション手段ユーザに提供することによって行われ得る。システムは、データのヘッダもしくはトレーラ、またはヘッダもしくはトレーラ履歴が適切なデータに関連してトランザクション手段上に記憶されるデータ記憶配列を想定し得る。
【００４５】
当業者はまた、セキュリティ上の理由から、システムの任意のデータベース、システム、デバイス、サーバ、または他の構成要素が、単一場所もしくは複数の場所において、任意のそれらの組み合わせから成り得、各データベースまたはシステムが、ファイアウォール、アクセスコード、暗号化、暗号解読、圧縮、解凍、および／または同等物等の種々の好適なセキュリティ特徴のいずれかを含むことを理解するであろう。
【００４６】
ファイアウォールは、システム１００構成要素および／または企業コンピューティングリソースを他のネットワークのユーザから保護するように好適に構成される任意のハードウェアおよび／またはソフトウェアを備え得る。さらに、ファイアウォールは、ウェブサーバを通して接続するウェブクライアント１０２のためのファイアウォールの背後の種々のシステムおよび構成要素へのアクセスを限定または制限するように構成され得る。ファイアウォールは、とりわけ、Ｓｔａｔｅｆｕｌ  Ｉｎｓｐｅｃｔｉｏｎ、Ｐｒｏｘｙベース、アクセス制御リスト、およびＰａｃｋｅｔ  Ｆｉｌｔｅｒｉｎｇを含む、可変構成で常駐し得る。ファイアウォールは、ウェブサーバもしくは任意の他のＣＭＳ構成要素内に統合され得るか、または、さらに、別個のエンティティとして常駐し得る。ファイアウォールは、ネットワークアドレス変換（「ＮＡＴ」）および／またはネットワークアドレスポート変換（「ＮＡＰＴ」）を実装し得る。ファイアウォールは、種々のトンネリングプロトコルに対応し、仮想プライベートネットワーキングにおいて使用されるもの等のセキュア通信を促進し得る。ファイアウォールは、非武装地帯（「ＤＭＺ」）を実装し、インターネット等の公共ネットワークとの通信を促進し得る。ファイアウォールは、インターネットサーバ、任意の他のアプリケーションサーバ構成要素内にソフトウェアとして統合され得るか、または別のコンピューティングデバイス内に常駐し得るか、もしくは独立型ハードウェア構成要素の形態をとり得る。
【００４７】
暗号化は、当技術分野において現在利用可能であるか、または利用可能となり得る、技法、例えば、Ｔｗｏｆｉｓｈ、ＲＳＡ、Ｅｌ  Ｇａｍａｌ、Ｓｃｈｏｒｒ署名、ＤＳＡ、ＰＧＰ、ＰＫＩ、および対称ならびに非対称暗号システムのいずれかによって行われ得る。
【００４８】
本明細書で論じられるコンピュータは、ユーザによってアクセス可能である、好適なウェブサイトまたは他のインターネットベースのグラフィカルユーザインターフェースを提供し得る。一実施形態では、Ｍｉｃｒｏｓｏｆｔ  Ｉｎｔｅｒｎｅｔ  Ｉｎｆｏｒｍａｔｉｏｎ  Ｓｅｒｖｅｒ（ＩＩＳ）、Ｍｉｃｒｏｓｏｆｔ  Ｔｒａｎｓａｃｔｉｏｎ  Ｓｅｒｖｅｒ（ＭＴＳ）、およびＭｉｃｒｏｓｏｆｔ  ＳＱＬサーバが、Ｍｉｃｒｏｓｏｆｔオペレーティングシステム、Ｍｉｃｒｏｓｏｆｔ  ＮＴウェブサーバソフトウェア、Ｍｉｃｒｏｓｏｆｔ  ＳＱＬ  Ｓｅｒｖｅｒデータベースシステム、およびＭｉｃｒｏｓｏｆｔコマースＳｅｒｖｅｒとともに使用される。加えて、ＡｃｃｅｓｓまたはＭｉｃｒｏｓｏｆｔ  ＳＱＬ  Ｓｅｒｖｅｒ、Ｏｒａｃｌｅ、Ｓｙｂａｓｅ、Ｉｎｆｏｒｍｉｘ  ＭｙＳＱＬ、Ｉｎｔｅｒｂａｓｅ等の構成要素が、Ａｃｔｉｖｅ  Ｄａｔａ  Ｏｂｊｅｃｔ（ＡＤＯ）準拠データベース管理システムを提供するために使用され得る。一実施形態では、Ａｐａｃｈｅウェブサーバが、Ｌｉｎｕｘ（登録商標）オペレーティングシステム、ＭｙＳＱＬデータベース、ならびにＰｅｒｌ、ＰＨＰ、および／またはＰｙｔｈｏｎプログラミング言語とともに使用される。
【００４９】
本明細書で論じられる通信、入力、記憶、データベース、またはディスプレイのいずれかは、ウェブページを有するウェブサイトを通して促進され得る。用語「ウェブページ」は、本明細書で使用される場合、ユーザと相互作用するために使用され得る、文書およびアプリケーションのタイプを限定することを意味しない。例えば、典型的ウェブサイトは、標準的ＨＴＭＬ文書に加え、種々の形態、Ｊａｖａ（登録商標）アプレット、Ｊａｖａ（登録商標）Ｓｃｒｉｐｔ、アクティブサーバページ（ＡＳＰ）、共通ゲートウェイインターフェーススクリプト（ＣＧＩ）、拡張マークアップ言語（ＸＭＬ）、ダイナミックＨＴＭＬ、カスケーディングスタイルシート（ＣＳＳ）、ＡＪＡＸ（非同期Ｊａｖａ（登録商標）ｓｃｒｉｐｔおよびＸＭＬ）、ヘルパーアプリケーション、プラグイン等を含み得る。サーバは、ウェブサーバからの要求を受信するウェブサービスを含み得、要求は、ＵＲＬ（ｈｔｔｐ：／／ｙａｈｏｏ．ｃｏｍ／ｓｔｏｃｋｑｕｏｔｅｓ／ｇｅ）およびＩＰアドレス（１２３．５６．７８９．２３４）を含む。ウェブサーバは、適切なウェブページを読み出し、ウェブページのためのデータまたはアプリケーションをＩＰアドレスに送信する。ウェブサービスは、インターネット等の通信手段を経由して他のアプリケーションと相互作用可能なアプリケーションである。ウェブサービスは、典型的には、ＸＭＬ、ＳＯＡＰ、ＡＪＡＸ、ＷＳＤＬ、およびＵＤＤＩ等の規格またはプロトコルに基づく。ウェブサービス方法は、当技術分野において周知であり、多くの標準的教科書において網羅されている。例えば、Ａｌｅｘ  Ｎｇｈｉｅｍ，ＩＴ  Ｗｅｂ  Ｓｅｒｖｉｃｅｓ：ＡＲｏａｄｍａｐ  ｆｏｒ  ｔｈｅ  Ｅｎｔｅｒｐｒｉｓｅ（２００３）（参照することによって本明細書に組み込まれる）を参照されたい。
【００５０】
ミドルウェアは、異種コンピューティングシステム間の通信および／またはプロセストランザクションを促進するように好適に構成される任意のハードウェアおよび／またはソフトウェアを含み得る。ミドルウェア構成要素は、市販されており、当技術分野において公知である。ミドルウェアは、市販のハードウェアおよび／またはソフトウェアを通して、カスタムハードウェアおよび／またはソフトウェア構成要素を通して、またはそれらの組み合わせを通して実装され得る。ミドルウェアは、種々の構成において常駐し得、独立型システムとして存在し得るか、またはインターネットサーバ上に常駐するソフトウェア構成要素であり得る。ミドルウェアは、本明細書に開示される目的のいずれかのために、アプリケーションサーバの種々の構成要素と任意の数の内部または外部システムとの間のトランザクションを処理するように構成され得る。ＩＢＭ，Ｉｎｃ．（Ａｒｍｏｎｋ，ＮＹ）によるＷｅｂＳｐｈｅｒｅ  ＭＱＴＭ（ｆｏｒｍｅｒｌｙ  ＭＱＳｅｒｉｅｓ）は、市販のミドルウェア製品の例である。企業サービスバス（「ＥＳＢ」）アプリケーションは、ミドルウェアの別の例である。
【００５１】
実施者はまた、ブラウザベースの文書内でデータを表示するためのいくつかの方法が存在することを理解するであろう。データは、標準的テキストとして、または固定リスト、スクロール可能リスト、ドロップダウンリスト、編集可能テキストフィールド、固定テキストフィールド、ポップアップウィンドウ等内に表され得る。同様に、例えば、キーボードを使用した自由テキスト入力、メニューアイテムの選択、チェックボックス、選択肢ボックス等、ウェブページ内のデータを修正するために利用可能ないくつかの方法も存在する。
【００５２】
システムおよび方法は、機能的ブロック構成要素、スクリーンショット、随意の選択、および種々の処理ステップの観点から本明細書に説明され得る。そのような機能的ブロックは、規定された機能を果たすように構成される、任意の数のハードウェアおよび／またはソフトウェア構成要素によって実現され得ることを理解されたい。例えば、システムは、１つ以上のマイクロプロセッサまたは他の制御デバイスの制御下で種々の機能を実行し得る種々の集積回路構成要素、例えば、メモリ要素、処理要素、論理要素、ルックアップテーブル等を採用し得る。同様に、システムのソフトウェア要素は、Ｃ、Ｃ＋＋、Ｃ＃、Ｊａｖａ（登録商標）、Ｊａｖａ（登録商標）Ｓｃｒｉｐｔ、ＶＢＳｃｒｉｐｔ、Ｍａｃｒｏｍｅｄｉａ  Ｃｏｌｄ  Ｆｕｓｉｏｎ、ＣＯＢＯＬ、Ｍｉｃｒｏｓｏｆｔ  Ａｃｔｉｖｅ  Ｓｅｒｖｅｒ  Ｐａｇｅｓ、アセンブラ、ＰＥＲＬ、ＰＨＰ、ａｗｋ、Ｐｙｔｈｏｎ、Ｖｉｓｕａｌ  Ｂａｓｉｃ、ＳＱＬ  Ｓｔｏｒｅｄ  Ｐｒｏｃｅｄｕｒｅｓ、ＰＬ／ＳＱＬ、任意のＵＮＩＸ（登録商標）シェルスクリプト、および拡張マークアップ言語（ＸＭＬ）等の任意のプログラミングまたはスクリプト言語を用いて実装され得、種々のアルゴリズムは、データ構造、オブジェクト、プロセス、ルーチン、または他のプログラミング要素の任意の組み合わせを用いて実装される。さらに、システムは、データ伝送、信号伝達、データ処理、ネットワーク制御等のために、任意の数の従来の技法を採用し得ることに留意されたい。さらに、システムは、Ｊａｖａ（登録商標）Ｓｃｒｉｐｔ、ＶＢＳｃｒｉｐｔ等のクライアント側スクリプト言語に関するセキュリティ問題を検出または防止するために使用され得る。暗号化およびネットワークセキュリティの基本的紹介については、以下の参考文献のいずれかを参照されたい：（１）“Ａｐｐｌｉｅｄ  Ｃｒｙｐｔｏｇｒａｐｈｙ：Ｐｒｏｔｏｃｏｌｓ，Ａｌｇｏｒｉｔｈｍｓ，Ａｎｄ  Ｓｏｕｒｃｅ  Ｃｏｄｅ  ＩｎＣ，”  ｂｙ  Ｂｒｕｃｅ  Ｓｃｈｎｅｉｅｒ，ｐｕｂｌｉｓｈｅｄ  ｂｙ  Ｊｏｈｎ  Ｗｉｌｅｙ  ＆  Ｓｏｎｓ（ｓｅｃｏｎｄ  ｅｄｉｔｉｏｎ，１９９５）、（２）“Ｊａｖａ（登録商標）  Ｃｒｙｐｔｏｇｒａｐｈｙ”  ｂｙ  Ｊｏｎａｔｈａｎ  Ｋｎｕｄｓｏｎ，ｐｕｂｌｉｓｈｅｄ  ｂｙ  Ｏ’Ｒｅｉｌｌｙ  ＆  Ａｓｓｏｃｉａｔｅｓ  （１９９８）、（３）“Ｃｒｙｐｔｏｇｒａｐｈｙ  ＆  Ｎｅｔｗｏｒｋ  Ｓｅｃｕｒｉｔｙ：Ｐｒｉｎｃｉｐｌｅｓ  ＆  Ｐｒａｃｔｉｃｅ”  ｂｙ  Ｗｉｌｌｉａｍ  Ｓｔａｌｌｉｎｇｓ，ｐｕｂｌｉｓｈｅｄ  ｂｙ  Ｐｒｅｎｔｉｃｅ  Ｈａｌｌ。これらは全て、参照することによって本明細書に組み込まれる。
【００５３】
本明細書で使用される場合、用語「エンドユーザ」、「消費者」、「顧客」、「カードメンバー」、「事業体」、または「業者」は、互いに同じ意味で使用され得、各々は、任意の人物、エンティティ、機械、ハードウェア、ソフトウェア、または事業体を意味するものとする。銀行は、システムの一部であり得るが、銀行は、クレジットカード企業、カード支援企業、または金融機関との契約下の第三者発行者等の他のタイプのカード発行機関も表し得る。さらに、中間決済機関等の他の参加者も、トランザクションのいくつかの段階に関与し得るが、これらの参加者は、示されないことに留意されたい。
【００５４】
各参加者は、システムと相互作用し、オンラインコマーストランザクションを促進するために、コンピューティングデバイスを具備する。顧客は、パーソナルコンピュータの形態におけるコンピューティングユニットを有するが、ラップトップ、ノートブック、ハンドヘルドコンピュータ、セットトップボックス、携帯電話、タッチトーン電話等を含む、他のタイプのコンピューティングユニットが、使用され得る。業者は、コンピュータサーバの形態において実装されるコンピューティングユニットを有するが、他の実装も、システムによって想定される。銀行は、メインフレームコンピュータとして示される、コンピューティングセンタを有する。しかしながら、銀行コンピューティングセンタは、ミニコンピュータ、ＰＣサーバ、同一もしく異なる地理的場所に位置するコンピュータのネットワーク等の他の形態で実装され得る。さらに、システムは、本明細書に説明される類似機能性を有する任意のネットワークを経由して、任意の商品、サービス、または情報の使用、販売もしくは配布を想定する。
【００５５】
業者コンピュータおよび銀行コンピュータは、支払ネットワークと称される第２のネットワークを介して、相互接続され得る。あるトランザクションの一部であり得る、支払ネットワークは、クレジットカード、デビットカード、および他のタイプの金融／銀行カードのためのトランザクションに現在サービスする既存の専有ネットワークを表す。支払ネットワークは、傍受者からセキュアであると思われる閉鎖ネットワークである。例示的トランザクションネットワークとして、Ａｍｅｒｉｃａｎ  Ｅｘｐｒｅｓｓ（登録商標）、ＶｉｓａＮｅｔ（登録商標）、およびＶｅｒｉｐｈｏｎｅ（登録商標）ネットワークが挙げられ得る。
【００５６】
電子コマースシステムは、顧客および発行銀行に実装され得る。例示的実装では、電子コマースシステムは、顧客コンピュータおよび銀行コンピューティングセンタ上にロードされたコンピュータソフトウェアモジュールとして実装される。業者コンピュータは、オンラインコマースシステムによってサポートされたオンラインコマーストランザクションに参加するためのどんな追加のソフトウェアも必要としない。
【００５７】
当業者によって理解されるように、システムは、既存のシステム、アドオン製品、アップグレードされたソフトウェア、独立型システム、配布式システム、方法、データ処理システム、データ処理のためのデバイス、および／またはコンピュータプログラム製品のカスタマイズとして具現化され得る。故に、システムは、全体的にソフトウェア実施形態、全体的にハードウェア実施形態、またはソフトウェアおよびハードウェアの両方の側面を組み合わせた実施形態の形態をとり得る。さらに、システムは、記憶媒体内に具現化されるコンピュータ読み取り可能なプログラムコード手段を有するコンピュータ読み取り可能な記憶媒体上のコンピュータプログラム製品の形態をとり得る。ハードディスク、ＣＤ−ＲＯＭ、光学記憶デバイス、磁気記憶デバイス、および／または同等物を含む、任意の好適なコンピュータ読み取り可能な記憶媒体が、利用され得る。
【００５８】
システムおよび方法は、種々の実施形態による、方法、装置（例えば、システム）、およびコンピュータプログラム製品のスクリーンショット、ブロック図、およびフローチャート図を参照して本明細書に説明される。ブロック図およびフローチャート図の各機能的ブロックならびにブロック図およびフローチャート図の内の機能的ブロックの組み合わせは、それぞれ、コンピュータプログラム命令によって実装されることができることを理解されたい。
【００５９】
これらのコンピュータプログラム命令は、コンピュータまたは他のプログラマブルデータ処理装置上で実行される命令が、フローチャートブロックまたは複数のブロック内に規定される機能を実装するための手段を作成するように機械を生産するために、汎用コンピュータ、特殊目的コンピュータ、または他のプログラマブルデータ処理装置上にロードされ得る。これらのコンピュータプログラム命令はまた、コンピュータ読み取り可能なメモリ内に記憶され得、コンピュータ読み取り可能なメモリ内に記憶される命令が、フローチャートブロックまたは複数のブロック内に規定された機能を実装する命令手段を含む製造品を生産するように、コンピュータまたは他のプログラマブルデータ処理装置に、特定の様式において機能するように命令することができる。コンピュータプログラム命令はまた、コンピュータまたは他のプログラマブル装置上で実行される命令が、フローチャートブロックまたは複数のブロック内に規定された機能を実装するためのステップを提供するように、一連の動作ステップをコンピュータまたは他のプログラマブル装置上で行わせ、コンピュータ実装プロセスを生産するために、コンピュータまたは他のプログラマブルデータ処理装置上にロードされ得る。
【００６０】
故に、ブロック図およびフローチャート図の機能的ブロックは、規定された機能を果たすための手段の組み合わせ、規定された機能を果たすためのステップの組み合わせ、および規定された機能を果たすためのプログラム命令手段をサポートする。ブロック図およびフローチャート図の各機能的ブロックならびにブロック図およびフローチャート図内の機能的ブロックの組み合わせは、規定された機能またはステップを行う特殊目的ハードウェアベースのコンピュータシステム、または特殊目的ハードウェアおよびコンピュータ命令の好適な組み合わせのいずれかによって実装されることができることも理解されたい。さらに、プロセスフローおよびその説明の例証は、ユーザウィンドウ、ウェブページ、ウェブサイト、ウェブフォーム、プロンプト等を参照し得る。実施者は、本明細書に説明される図示されるステップが、ウィンドウ、ウェブページ、ウェブフォーム、ポップアップウィンドウ、プロンプト等の使用を含む、任意の数の構成を備え得ることを理解されるであろう。さらに、図示および説明される複数のステップは、単一ウェブページおよび／またはウィンドウの中に組み合わせられ得るが、単純化のために、拡張されていることを理解されたい。他の場合には、単一プロセスステップとして図示および説明されるステップは、複数のウェブページならびに／またはウィンドウに分離され得るが、便宜上、組み合わせられている。
【００６１】
利益、他の利点、および問題の解決策が、具体的実施形態に関して本明細書に説明された。しかしながら、任意の利益、利点、またはソリューションを生じさせる、もしくはより顕著にさせ得る、利益、利点、問題の解決策、および任意の要素は、本開示の重要、必須、または不可欠な特徴もしくは要素として解釈されるべきではない。本開示の範囲は、故に、添付の請求項以外によって限定されるべきではなく、単数形における要素の参照は、明示的にそのように述べられない限り、「１つかつ１つのみ」を意味することを意図するものではなく、むしろ、「１つ以上の」ことを意味する。さらに、「Ａ、Ｂ、およびＣのうちの少なくとも１つ」または「Ａ、Ｂ、もしくはＣのうちの少なくとも１つ」に類似する語句が、請求項または明細書において使用される場合、その語句が、Ａのみがある実施形態では存在し得、Ｂのみがある実施形態では存在し得、Ｃのみがある実施形態では存在し得るか、または要素Ａ、Ｂ、およびＣの任意の組み合わせが、単一実施形態に存在し得ることを意味するものと解釈されるように意図される。例えば、ＡおよびＢ、ＡおよびＣ、ＢおよびＣ、またはＡおよびＢおよびＣである。本発明は、ある実施形態では、方法として説明されたが、磁気もしくは光学メモリまたは磁気もしくは光ディスク等の有形コンピュータ読み取り可能なキャリア上のコンピュータプログラム命令として具現化され得ることが想定される。当業者に公知の前述の例示的実施形態の要素に対する全ての構造、化学、および機能的均等物は、参照することによって本明細書に明示的に組み込まれ、本請求項によって包含されることが意図される。さらに、デバイスまたは方法が、本開示によって解決されることが模索されるあらゆる問題に対処することは必要ではなく、本請求項によって包含されることも必要ではない。さらに、本開示における要素、構成要素、または方法ステップは、要素、構成要素、または方法ステップが、請求項に明示的に列挙されるかどうかにかかわらず、公開されることが意図されるものではない。本明細書の請求項要素は、その要素が語句「ｍｅａｎｓ  ｆｏｒ」を使用して明示的に列挙されない限り、３５Ｕ．Ｓ．Ｃ．１１２（ｆ）の規定下で解釈されるものではない。本明細書で使用される場合、用語「ｃｏｍｐｒｉｓｅｓ（備える）」、「ｃｏｍｐｒｉｓｉｎｇ（備える）」、またはその任意の他の変形例は、要素のリストを備える、プロセス、方法、物品、または装置が、それらの要素のみを含むだけではなく、明示的に列挙されない、もしくはそのようなプロセス、方法、物品、または装置に固有ではない、他の要素を含み得るように、非排他的含有を網羅することを意図するものではない。
【００６２】
本発明は、以下の項目をさらに提供する。
（項目１）
方法であって、
トランザクションアカウントのコンピュータベースのシステムによって、クレジット申請を承認することに応答して、エンコードされたセキュアトークンをウェブクライアントに伝送することであって、前記クレジット申請は、ｈｔｔｐセッション中に提出される、ことと、
前記コンピュータベースのシステムによって、モバイル通信デバイスから、セキュアトークンを受信することであって、前記エンコードされたセキュアトークンは、前記セキュアトークンを得るためにデコードされる、ことと、
前記コンピュータベースのシステムによって、前記セキュアトークンを受信することに応答して、トランザクションアカウントデータを前記モバイル通信デバイスに伝送することと
を含む、方法。
（項目２）
前記コンピュータベースのシステムによって、前記モバイル通信デバイスによってデコードされた前記セキュアトークンを受信することをさらに含む、項目１に記載の方法。
（項目３）
前記コンピュータベースのシステムによって、前記ウェブクライアントへの伝送のために前記セキュアトークンをエンコードすることをさらに含む、項目１に記載の方法。
（項目４）
前記コンピュータベースのシステムによって、前記モバイル通信デバイスから受信された前記セキュアトークンを確認することをさらに含む、項目１に記載の方法。
（項目５）
前記コンピュータベースのシステムによって、前記モバイル通信デバイスから受信された前記セキュアトークンを前記ウェブクライアントに伝送されたセキュアトークンと比較することにより、前記モバイル通信デバイスを確認することをさらに含む、項目１に記載の方法。
（項目６）
前記コンピュータベースのシステムによって、前記モバイル通信デバイスを確認することに応答して、前記トランザクションアカウントを前記データモバイル通信デバイスに伝送することをさらに含む、項目４に記載の方法。
（項目７）
前記モバイル通信デバイスは、トランザクション要求中の販売時点情報管理端末への提示のために前記トランザクションアカウントデータを記憶するように構成されている、項目１に記載の方法。
（項目８）
前記エンコードされたセキュアトークンは、ＱＲコード（登録商標）内にある、項目１に記載の方法。
（項目９）
前記モバイル通信デバイスは、前記エンコードされたセキュアトークンを走査する、項目１に記載の方法。
（項目１０）
前記モバイル通信デバイスは、前記エンコードされたセキュアトークンをデコードし、前記セキュアトークンを作成する、項目１に記載の方法。
（項目１１）
前記ウェブクライアントは、前記ｈｔｔｐセッションに参加し、前記クレジット申請を提出する、項目１に記載の方法。
（項目１２）
方法であって、
モバイル通信デバイスによって、エンコードされたセキュアトークンを取得することと、
前記モバイル通信デバイスによって、前記エンコードされたセキュアトークンをデコードし、セキュアトークンを得ることと、
前記モバイル通信デバイスによって、前記セキュアトークンをトランザクションアカウント発行者システムに伝送することと、
前記伝送することに応答して、前記モバイル通信デバイスによって、非接触支払トランザクションを実施することを促進するためのトランザクションアカウント情報を受信することと
を含む、方法。
（項目１３）
前記エンコードされたセキュアトークンは、クレジット申請承認に応答して得られ、前記クレジット申請は、ｈｔｔｐセッション中に提出される、項目１２に記載の方法。
（項目１４）
前記セキュアトークンは、前記トランザクションアカウント発行者システムによって確認される、項目１２に記載の方法。
（項目１５）
システムであって、
トランザクションアカウントプロセッサと通信している有形非一過性メモリであって、前記有形非一過性メモリは、命令を記憶し、前記命令は、前記プロセッサによる実行に応答して、前記プロセッサに動作を行わせる、有形非一過性メモリと、
前記プロセッサと通信している伝送モジュールであって、前記伝送モジュールは、クレジット申請を承認することに応答して、エンコードされたセキュアトークンをウェブクライアントに伝送するように構成され、前記クレジット申請は、ｈｔｔｐセッション中に提出される、伝送モジュールと、
前記プロセッサと通信している受信モジュールであって、前記受信モジュールは、モバイル通信デバイスからセキュアトークンを受信するように構成され、前記エンコードされたセキュアトークンは、前記セキュアトークンを得るためにデコードされる、受信モジュールと
を備え、
前記伝送モジュールは、前記セキュアトークンを受信することに応答して、トランザクションアカウントデータを前記モバイル通信デバイスに伝送するようにさらに構成されている、システム。
（項目１６）
前記受信モジュールは、前記モバイル通信デバイスによってデコードされた前記セキュアトークンを受信するようにさらに構成されている、項目１５に記載のシステム。
（項目１７）
前記プロセッサと通信しているエンコードモジュールをさらに備え、前記エンコードモジュールは、前記ウェブクライアントによる表示のための前記セキュアトークンをエンコードするように構成されている、項目１５に記載のシステム。
（項目１８）
前記プロセッサと通信している確認モジュールをさらに備え、前記確認モジュールは、前記モバイル通信デバイスから受信された前記セキュアトークンを確認するように構成されている、項目１５に記載のシステム。
（項目１９）
前記プロセッサと通信している比較モジュールをさらに備え、前記比較モジュールは、前記モバイル通信デバイスから受信された前記セキュアトークンを前記ウェブクライアントに伝送された前記セキュアトークンと比較することにより、前記モバイル通信デバイスを確認するように構成されている、項目１５に記載のシステム。
（項目２０）
前記モバイル通信デバイスは、トランザクション要求中の販売時点情報管理端末への提示のために前記トランザクションアカウントデータを記憶するように構成されている、項目１５に記載のシステム。
【図１Ａ】
2019117653.tif 000003
【図１Ｂ】
2019117653.tif 000004
【図２】
2019117653.tif 000005
【外国語明細書】
2019117653000001.pdf